(57)【要約】【課題】使用者が暖房とふろ追焚とを同時に要求したときに、暖房やふろ追焚の使用感が低下するのを極力抑えることができる。【解決手段】ふろ循環路３３にて循環される浴槽１０の湯水の循環量を変更自在な循環量変更手段が備えられ、運転制御手段４５は、暖房端末８からの運転要求とふろ追焚要求とが同時に要求されると、暖房運転と追焚運転とを実行するとともに、循環量変更手段にてふろ循環路３３にて循環される浴槽１０の湯水の湯水循環量を変更させる循環量変更処理を行う。【選択図】図１
2010223490.tif 000002
【特許請求の範囲】
【請求項１】
暖房バーナの燃焼により熱媒を加熱する暖房熱交換器と暖房端末との間で熱媒を循環させる熱媒循環路と、ふろ熱交換器と浴槽との間で浴槽の湯水を循環させるふろ循環路と、前記暖房熱交換器を通過した熱媒を前記暖房端末をバイパスさせて前記熱媒循環路を介して前記暖房熱交換器に戻す熱媒バイパス路とが備えられ、
前記暖房熱交換器を通過した熱媒を前記熱媒バイパス路に供給するバイパス状態と供給しない非バイパス状態とに切換自在な切換手段が備えられ、
前記ふろ熱交換器が、前記熱媒バイパス路に備えられて、前記暖房熱交換器にて加熱されて前記熱媒バイパス路に供給された熱媒にて前記ふろ循環路を通流する浴槽の湯水を加熱する液々熱交換器にて構成され、
前記暖房端末から運転要求が要求されると、前記切換手段を前記非バイパス状態に切り換えて前記熱媒循環路に備えられた熱媒循環ポンプを作動させ、前記暖房熱交換器にて加熱された熱媒を前記熱媒循環路にて前記暖房端末に供給する暖房運転を行い、ふろ追焚要求が要求されると、前記切換手段を前記バイパス状態に切り換えて前記熱媒循環ポンプ及び前記ふろ循環路に備えられたふろ循環ポンプを作動させ、前記暖房熱交換器にて加熱された熱媒を前記熱媒バイパス路に供給するとともに、前記ふろ熱交換器にて加熱された浴槽の湯水を前記ふろ循環路にて浴槽に供給する追焚運転を行う運転制御手段が備えられているふろ暖房設備であって、
前記ふろ循環路にて循環される浴槽の湯水の循環量を変更自在な循環量変更手段が備えられ、
前記運転制御手段は、前記暖房端末からの運転要求と前記ふろ追焚要求とが同時に要求されると、前記暖房運転と前記追焚運転とを実行するとともに、前記循環量変更手段にて前記ふろ循環路にて循環される浴槽の湯水の湯水循環量を変更させる循環量変更処理を行うふろ暖房設備。
【請求項２】
前記運転制御手段は、前記循環量変更処理において、前記暖房端末から運転要求が要求されておらず前記ふろ追焚要求が単独で要求されているときの単独用の湯水循環量よりも前記循環量変更手段にて湯水循環量を減少させる請求項１に記載のふろ暖房設備。
【請求項３】
前記運転制御手段は、前記循環量変更処理において、前記暖房端末の運転状況に応じて、前記循環量変更手段にて湯水循環量を変更させる請求項１又は２に記載のふろ暖房設備。
【請求項４】
前記暖房端末として、高温の熱媒を供給する高温暖房端末とその高温暖房端末よりも低温の熱媒を供給する低温暖房端末とが備えられ、
前記運転制御手段は、前記循環量変更処理において、前記暖房端末の運転状況として、前記高温暖房端末及び前記低温暖房端末の夫々について運転要求を要求しているか否かを判別している請求項３に記載のふろ暖房設備。
【請求項５】
前記運転制御手段は、前記循環量変更処理において、前記暖房端末の運転状況として、運転要求を要求している前記暖房端末にて要求されている要求熱量を判別している請求項３又は４に記載のふろ暖房設備。
【請求項６】
前記運転制御手段は、前記循環量変更処理の実行により湯水循環量を前記暖房端末から運転要求が要求されておらず前記ふろ追焚要求が単独で要求されているときの単独用の湯水循環量よりも減少させているときに、前記追焚運転の運転継続時間が設定時間以上となると、前記循環量変更手段にて湯水循環量を増加させる請求項１〜５の何れか１項に記載のふろ暖房設備。
【請求項７】
給湯バーナの燃焼により給水路にて供給される水を加熱して給湯路に供給する給湯熱交換器が備えられ、
前記給湯バーナと前記暖房バーナとに燃焼用空気を供給する単一の燃焼用ファンが備えられ、
前記運転制御手段は、給湯要求が要求されると、前記暖房バーナを燃焼させるか否かにかかわらず、前記給湯バーナの燃焼量が目標燃焼量となるように前記燃焼用ファンの回転速度を制御するとともに、前記給湯熱交換器にて加熱された温水を前記給湯路に供給する給湯運転を行い、且つ、前記循環量変更処理において、前記給湯運転の実行中であるか否かに基づいて前記循環量変更手段にて湯水循環量を変更させる請求項１〜６の何れか１項に記載のふろ暖房設備。
【請求項８】
前記ふろ循環ポンプとして回転速度可変型のポンプが採用されており、
前記循環量変更手段は、前記ふろ循環ポンプの回転速度を変更させて湯水循環量を変更させている請求項１〜７の何れか１項に記載のふろ暖房設備。
【発明の詳細な説明】
【技術分野】
【０００１】
本発明は、暖房バーナの燃焼により熱媒を加熱する暖房熱交換器にて加熱された熱媒を熱媒循環路にて暖房端末に供給する暖房運転、及び、ふろ熱交換器において暖房熱交換器にて加熱された熱媒にてふろ循環路を通流する浴槽の湯水を加熱して、その加熱された浴槽の湯水をふろ循環路にて浴槽に供給する追焚運転を実行可能なふろ暖房設備に関する。
【背景技術】
【０００２】
従来のふろ暖房設備では、暖房熱交換器と暖房端末との間で熱媒を循環させる熱媒循環路と、ふろ熱交換器と浴槽との間で浴槽の湯水を循環させるふろ循環路と、前記暖房熱交換器を通過した熱媒を前記暖房端末をバイパスさせて前記熱媒循環路を介して前記暖房熱交換器に戻す熱媒バイパス路とが備えられている。そして、暖房熱交換器を通過した熱媒を熱媒バイパス路に供給するバイパス状態と供給しない非バイパス状態とに切換自在な切換手段が備えられ、ふろ熱交換器が、暖房熱交換器にて加熱されて熱媒バイパス路に供給された熱媒にてふろ循環路を通流する浴槽の湯水を加熱する液々熱交換器にて構成されている。また、ふろ暖房設備の運転を制御する運転制御手段は、使用者が暖房端末の運転スイッチをＯＮ操作する等により暖房端末から運転要求が要求されると、切換手段を非バイパス状態に切り換えて熱媒循環路に備えられた熱媒循環ポンプを作動させ、暖房熱交換器にて加熱された熱媒を熱媒循環路にて暖房端末に供給する暖房運転を行う。また、運転制御手段は、使用者が浴室リモコンの追焚スイッチをＯＮ操作する等によりふろ追焚要求が要求されると、切換手段をバイパス状態に切り換えて熱媒循環ポンプ及びふろ循環路に備えられたふろ循環ポンプを作動させ、暖房熱交換器にて加熱された熱媒を熱媒バイパス路に供給するとともに、ふろ熱交換器にて加熱された浴槽の湯水をふろ循環路にて浴槽に供給する追焚運転を行っている。
【先行技術文献】
【特許文献】
【０００３】
【特許文献１】特開２００８−１５７５９１号公報
【発明の概要】
【発明が解決しようとする課題】
【０００４】
上記特許文献１に記載の設備では、暖房端末からの運転要求とふろ追焚要求とが同時に要求されると、運転制御手段が暖房運転と追焚運転とを実行する。このとき、切換手段はバイパス状態に切り換えられるので、暖房熱交換器にて加熱された熱媒の一部が熱媒循環路にて暖房端末に供給され、残りの一部が熱媒バイパス路に供給されてふろ熱交換器においてふろ循環路を通流する湯水を加熱することになる。したがって、暖房熱交換器にて加熱された熱媒が有する熱量を、暖房端末で暖房に用いる分と浴槽の湯水の追焚に用いる分とに分け合うことになる。その為に、単に、暖房熱交換器にて加熱された熱媒が有する熱量を分け合うだけでは、一方で暖房端末の暖房能力が低下してしまい、他方で浴槽に供給される湯水の温度が十分に高温にならない等の問題が生じることとなって、暖房やふろ追焚の使用感が低下する可能性があった。
【０００５】
本発明は、かかる点に着目してなされたものであり、その目的は、使用者が暖房とふろ追焚とを同時に要求したときに、暖房やふろ追焚の使用感が低下するのを極力抑えることができるふろ暖房設備を提供する点にある。
【課題を解決するための手段】
【０００６】
この目的を達成するために、本発明に係るふろ暖房設備の特徴構成は、暖房バーナの燃焼により熱媒を加熱する暖房熱交換器と暖房端末との間で熱媒を循環させる熱媒循環路と、ふろ熱交換器と浴槽との間で浴槽の湯水を循環させるふろ循環路と、前記暖房熱交換器を通過した熱媒を前記暖房端末をバイパスさせて前記熱媒循環路を介して前記暖房熱交換器に戻す熱媒バイパス路とが備えられ、前記暖房熱交換器を通過した熱媒を前記熱媒バイパス路に供給するバイパス状態と供給しない非バイパス状態とに切換自在な切換手段が備えられ、前記ふろ熱交換器が、前記熱媒バイパス路に備えられて、前記暖房熱交換器にて加熱されて前記熱媒バイパス路に供給された熱媒にて前記ふろ循環路を通流する浴槽の湯水を加熱する液々熱交換器にて構成され、前記暖房端末から運転要求が要求されると、前記切換手段を前記非バイパス状態に切り換えて前記熱媒循環路に備えられた熱媒循環ポンプを作動させ、前記暖房熱交換器にて加熱された熱媒を前記熱媒循環路にて前記暖房端末に供給する暖房運転を行い、ふろ追焚要求が要求されると、前記切換手段を前記バイパス状態に切り換えて前記熱媒循環ポンプ及び前記ふろ循環路に備えられたふろ循環ポンプを作動させ、前記暖房熱交換器にて加熱された熱媒を前記熱媒バイパス路に供給するとともに、前記ふろ熱交換器にて加熱された浴槽の湯水を前記ふろ循環路にて浴槽に供給する追焚運転を行う運転制御手段が備えられているふろ暖房設備において、
前記ふろ循環路にて循環される浴槽の湯水の循環量を変更自在な循環量変更手段が備えられ、前記運転制御手段は、前記暖房端末からの運転要求と前記ふろ追焚要求とが同時に要求されると、前記暖房運転と前記追焚運転とを実行するとともに、前記循環量変更手段にて前記ふろ循環路にて循環される浴槽の湯水の湯水循環量を変更させる循環量変更処理を行う点にある。
【０００７】
本特徴構成によれば、使用者が暖房端末の運転スイッチをＯＮ操作する等により暖房端末から運転要求が要求されるとともに、使用者が浴室リモコンの追焚スイッチをＯＮ操作する等によりふろ追焚要求が要求されて、暖房端末からの運転要求とふろ追焚要求とが同時に要求されると、運転制御手段は、単に、暖房運転と追焚運転とを実行するだけでなく、循環量変更処理を行う。
【０００８】
この循環量変更処理の実行によりふろ循環路にて循環される湯水循環量を変更させると、暖房熱交換器にて加熱された熱媒が有する熱量のうち、浴槽の湯水の追焚に用いる分の熱量を変更させることができる。これにより、暖房熱交換器にて加熱された熱媒が有する熱量を、暖房端末で暖房に用いる分と浴槽の湯水の追焚に用いる分とに分け合うことになるが、どのような配分で分け合うかを調整することができる。例えば、循環量変更処理において湯水循環量を減少させることにより、浴槽の湯水の追焚に用いる分の熱量を減少させることができる。これにより、暖房端末で暖房に用いる分の熱量を増加させることができ、暖房の使用感が低下するのを抑制できる。また、逆に、循環量変更処理において湯水循環量を増加させることにより、ふろ追焚の使用感が低下するのを抑制することができる。
以上のことから、使用者が暖房とふろ追焚とを同時に要求したときに、暖房やふろ追焚の使用感が低下するのを極力抑えることができるふろ暖房設備を実現できる。
【０００９】
本発明に係るふろ暖房設備の更なる特徴構成は、前記運転制御手段は、前記循環量変更処理において、前記暖房端末から運転要求が要求されておらず前記ふろ追焚要求が単独で要求されているときの単独用の湯水循環量よりも前記循環量変更手段にて湯水循環量を減少させる点にある。
【００１０】
本特徴構成によれば、湯水循環量変更処理では、湯水循環量を単独用の湯水循環量よりも減少させるので、暖房熱交換器にて加熱された熱媒が有する熱量のうち、暖房端末で暖房に用いる分の熱量を増加させることができ、暖房の使用感が低下するのを的確に抑制できる。
例えば、暖房は冬季等に使用されるものであり、このような時期にはふろ追焚よりも暖房の方が使用頻度が高くなる。よって、例えば冬季等には、暖房の使用感が低下すると使用者の快適性が損なわれるという問題が顕著になるが、本特徴構成によれば、暖房の使用感の低下を抑制して、使用者の快適性が損なわれるのを防止することができる。また、一般的に、暖房で要求されている要求熱量の方が、ふろ追焚で要求されている要求熱量よりも大きいことから、暖房端末で暖房に用いる分の熱量を増加させることによって、使用者の使用感の低下を抑制するという点では暖房の使用感の低下を抑制するのが効果的なものとなる。
【００１１】
本発明に係るふろ暖房設備の更なる特徴構成は、前記運転制御手段は、前記循環量変更処理において、前記暖房端末の運転状況に応じて、前記循環量変更手段にて湯水循環量を変更させる点にある。
【００１２】
本特徴構成によれば、循環量変更処理では、暖房端末の運転台数や暖房端末にて要求されている要求熱量の大小等の暖房端末の運転状況に応じて湯水循環量を変更させて、暖房熱交換器にて加熱された熱媒が有する熱量のうち、ふろ追焚に用いる分の熱量を増減させることができる。よって、暖房端末の運転状況に応じて、暖房熱交換器にて加熱された熱媒が有する熱量の配分を的確に調整することができ、使用感の低下を効果的に抑制することができる。
【００１３】
本発明に係るふろ暖房設備の更なる特徴構成は、前記暖房端末として、高温の熱媒を供給する高温暖房端末とその高温暖房端末よりも低温の熱媒を供給する低温暖房端末とが備えられ、前記運転制御手段は、前記循環量変更処理において、前記暖房端末の運転状況として、前記高温暖房端末及び前記低温暖房端末の夫々について運転要求を要求しているか否かを判別している点にある。
【００１４】
本特徴構成によれば、運転制御手段が、運転要求している暖房端末がどの暖房端末であるかによって、その暖房端末に適した湯水循環量に変更することができる。よって、使用感の低下を抑制するために、暖房熱交換器にて加熱された熱媒が有する熱量の配分の適正化を図ることができる。
【００１５】
本発明に係るふろ暖房設備の更なる特徴構成は、前記運転制御手段は、前記循環量変更処理において、前記暖房端末の運転状況として、運転要求を要求している前記暖房端末にて要求されている要求熱量を判別している点にある。
【００１６】
本特徴構成によれば、運転制御手段が、運転要求を要求している前記暖房端末にて要求されている要求熱量の大小によってそれに適した湯水循環量に変更することができる。よって、使用感の低下を抑制するために、暖房熱交換器にて加熱された熱媒が有する熱量の配分の適正化を図ることができる。
【００１７】
本発明に係るふろ暖房設備の更なる特徴構成は、前記運転制御手段は、前記循環量変更処理の実行により湯水循環量を前記暖房端末から運転要求が要求されておらず前記ふろ追焚要求が単独で要求されているときの単独用の湯水循環量よりも減少させているときに、前記追焚運転の運転継続時間が設定時間以上となると、前記循環量変更手段にて湯水循環量を増加させる点にある。
【００１８】
循環量変更処理において湯水循環量を単独用の湯水循環量よりも減少させることにより、暖房端末で暖房に用いる分の熱量を増加させて、ふろ追焚よりも暖房を優先して使用感の低下を抑制することができる。しかしながら、ふろ追焚に用いる分の熱量が減少するので、浴槽の湯水を追焚できない事態に陥る可能性が生じる。そこで、本特徴構成によれば、運転制御手段は、追焚運転の運転継続時間が設定時間以上となると、浴槽の湯水の追焚に時間がかかっているとして、循環量変更手段にて湯水循環量を増加させて、ふろ追焚に用いる分の熱量を増加させることができる。これにより、暖房の使用感の低下を優先して抑制することができながら、ふろ追焚の使用感の低下をも的確に抑制することができる。
【００１９】
本発明に係るふろ暖房設備の更なる特徴構成は、給湯バーナの燃焼により給水路にて供給される水を加熱して給湯路に供給する給湯熱交換器が備えられ、前記給湯バーナと前記暖房バーナとに燃焼用空気を供給する単一の燃焼用ファンが備えられ、前記運転制御手段は、給湯要求が要求されると、前記暖房バーナを燃焼させるか否かにかかわらず、前記給湯バーナの燃焼量が目標燃焼量となるように前記燃焼用ファンの回転速度を制御するとともに、前記給湯熱交換器にて加熱された温水を前記給湯路に供給する給湯運転を行い、且つ、前記循環量変更処理において、前記給湯運転の実行中であるか否かに基づいて前記循環量変更手段にて湯水循環量を変更させる点にある。
【００２０】
本特徴構成によれば、給湯バーナと暖房バーナとで単一の燃焼用ファンが設けられており、構成の簡素化を図ることができる。しかしながら、例えば、給湯運転と追焚運転とを同時に実行するとき等、給湯バーナと暖房バーナとを同時燃焼させる場合には、どちらのバーナでの燃焼量が目標燃焼量となるように、燃焼用ファンの回転速度を制御するかが問題となる。給湯設定温度の湯水が給湯されなくなると、使用者の給湯に対する使用感が低下して顕著な問題となることから、運転制御手段は、給湯要求により給湯運転を行うときには、暖房バーナを燃焼させるか否かにかかわらず、給湯バーナの燃焼量が目標燃焼量となるように燃焼用ファンの回転速度を制御している。
【００２１】
したがって、給湯バーナと暖房バーナとを同時燃焼させる場合には、暖房バーナへの燃焼用空気の供給量が給湯バーナでの燃焼用空気の供給量に制限されることになり、暖房バーナの燃焼量を目標燃焼量とするための燃焼用空気の供給量よりも多くなる又は少なくなる可能性がある。そこで、運転制御手段は、暖房バーナへの燃焼用空気の供給量に応じて暖房バーナへの燃料ガスの供給量を調整することにより、給湯バーナを目標燃焼量にて燃焼させながら、暖房バーナの燃焼も安定して行えるようにしている。
【００２２】
しかしながら、給湯バーナと暖房バーナとを同時燃焼させる場合には、給湯バーナでの燃焼量に制限されることになり、暖房バーナの燃焼量が目標燃焼量よりも大きい又は小さい状態となっていることがある。よって、給湯バーナと暖房バーナとを同時燃焼させる場合には、暖房バーナを単独で燃焼させるときに比べて、暖房熱交換器にて加熱された熱媒が有する熱量自体が変更することなる。
そこで、本特徴構成によれば、運転制御手段が、循環量変更処理において、給湯運転の実行中であるか否かに基づいて湯水循環量を変更させて、給湯バーナと暖房バーナとを同時燃焼させる場合であっても、この場合に適した湯水循環量に変更することができる。例えば、暖房バーナの燃焼量が目標燃焼量よりも小さい状態となっていると、湯水循環量を減少させることにより、暖房端末で暖房に用いる分の熱量の低下を防止でき、暖房の使用感の低下を的確に抑制できる。よって、給湯バーナと暖房バーナとを同時燃焼させることにより、暖房熱交換器にて加熱された熱媒が有する熱量自体が変更されても、その熱量の配分の適正化を図り、使用感の低下を的確に抑制できる。
【００２３】
本発明に係るふろ暖房設備の更なる特徴構成は、前記ふろ循環ポンプとして回転速度可変型のポンプが採用されており、前記循環量変更手段は、前記ふろ循環ポンプの回転速度を変更させて湯水循環量を変更させている点にある。
【００２４】
本特徴構成によれば、単に、ふろ循環ポンプとして回転速度可変型のポンプを採用するだけで、湯水循環量を変更させることができ、循環量変更手段の構成の簡素化を図ることができる。しかも、ふろ循環ポンプの回転速度を制御することにより、湯水循環量の変更を精度よくスムーズに行うことができる。
【図面の簡単な説明】
【００２５】
【図１】ふろ給湯暖房機の概略構成図
【図２】循環量変更処理の動作を示すフローチャート
【図３】第２実施形態におけるふろ給湯暖房機の一部を示す図
【図４】第２実施形態における循環量変更処理の一部の動作を示すフローチャート
【発明を実施するための形態】
【００２６】
本発明に係るふろ暖房設備をふろ給湯暖房機に適応した実施形態を図面に基づいて説明する。
〔第１実施形態〕
このふろ給湯暖房機１は、図１に示すように、一般家庭用の水道管に接続された給水路２からの水をガス燃焼式の給湯バーナ３によって加熱して、加熱後の湯水を先端に給湯栓４を備えた給湯路５に供給する給湯熱交換器６と、ガス燃焼式の暖房バーナ７の燃焼によって熱媒を加熱して暖房端末８等に供給する暖房熱交換器９と、暖房熱交換器９にて加熱された熱媒によって浴槽１０の湯水を加熱して浴槽１０に供給するふろ熱交換器１１とを備えた２缶３水式にて構成されている。
【００２７】
給湯バーナ３及び暖房バーナ７の夫々には、一般家庭用の燃料ガスを供給するガス供給路１２が接続され、燃料ガス供給量を調整する電磁式のガス比例弁１３及び燃料ガスの供給を断続する断続弁１４が各別に設けられている。また、給湯バーナ３及び暖房バーナ７の夫々には、燃焼用空気を供給する燃焼用ファン１５も各別に設けられており、図示は省略するが、給湯バーナ３及び暖房バーナ７の夫々の近くには、給湯バーナ３及び暖房バーナ７の夫々に対する点火動作を実行する点火用のイグナイタ及び着火されたか否かを検出するフレームロッド等も各別に設けられている。
【００２８】
給湯熱交換器６には、給水路２及び給湯路５が接続されており、給水路２には、給水温度を検出する給水サーミスタ１６と給水量を検出する水量センサ１７とが設けられている。給水路２と給湯路５とが給湯熱交換器６をバイパスするようにバイパス路１８が備えられ、そのバイパス路１８にバイパス弁１９が設けられている。給湯路５には、上流側から順に、給湯熱交換器６の出口温度を検出する出口温サーミスタ２０と、バイパス路１８から供給される水が混合した後の湯水の温度を検出する出湯サーミスタ２１とが設けられている。
【００２９】
暖房熱交換器９には、加熱後の熱媒を暖房端末８に供給する熱媒往き路２２と、暖房端末８から熱媒を戻す熱媒戻り路２３とが接続されている。熱媒往き路２２と熱媒戻り路２３とは、暖房端末８をバイパスする第１熱媒バイパス路２５及び第２熱媒バイパス路２６（熱媒バイパス路に相当する）にて接続されている。第１熱媒バイパス路２５と第２熱媒バイパス路２６との位置関係は、熱媒往き路２２において第１熱媒バイパス路２５の接続箇所が第２熱媒バイパス路２６の接続箇所よりも上流側となり、熱媒戻り路２３において第２熱媒バイパス路２６の接続箇所が第１熱媒バイパス路２５の接続箇所よりも上流側となっている。熱媒往き路２２には、加熱後の熱媒の温度を検出する熱媒サーミスタ２７が設けられており、その熱媒サーミスタ２７の設置箇所よりも下流側に第１熱媒バイパス路２５の接続箇所が位置している。熱媒戻り路２３には、上流側から順に、膨張タンク２８、熱媒循環ポンプ２９が備えられており、膨張タンク２８の設置箇所よりも上流側に第１熱媒バイパス路２５の接続箇所が位置している。
【００３０】
暖房端末８として、高温の熱媒（例えば８０℃の熱媒）を供給する高温暖房端末８ａ（例えば浴室乾燥装置）とその高温暖房端末８ａよりも低温の熱媒（例えば６０℃の熱媒）を供給する低温暖房端末８ｂ（例えば床暖房パネル）とが備えられている。高温暖房端末８ａには、熱媒往き路２２及び熱媒戻り路２３が接続されており、低温暖房端末８ｂには、熱媒戻り路２３において熱媒循環ポンプ２９の設置箇所と暖房熱交換器９の接続箇所との間から分岐接続された低温熱媒往き路３０、及び、熱媒戻り路２３が接続されている。熱媒循環路２４は、熱媒往き路２２と熱媒戻り路２３と低温熱媒往き路３０とから構成されている。これにより、高温暖房端末８ａに対しては暖房熱交換器９にて加熱された熱媒を熱媒往き路２２にて供給しており、高温暖房端末８ａからの熱媒を熱媒戻り路２３にて暖房熱交換器９に戻している。また、低温暖房端末８ｂに対しては暖房熱交換器９にて加熱された熱媒を熱媒往き路２２、第１熱媒バイパス路２５、熱媒戻り路２３、低温熱媒往き路３０を順に通流させて供給しており、低温暖房端末８ｂからの熱媒を熱媒戻り路２３にて暖房熱交換器９に戻している。
【００３１】
第２熱媒バイパス路２６には、上流側から順に、熱媒断続弁３１（切換手段に相当する）、ふろ熱交換器１１が備えられている。熱媒断続弁３１は、熱媒往き路２２を通流する熱媒の第２熱媒バイパス路２６への供給を断続する開閉弁にて構成されている。そして、熱媒断続弁３１を開状態に切り換えることにより熱媒往き路２２を通流する熱媒を第２熱媒バイパス路２６に供給するバイパス状態に切り換え（図中点線矢印）、熱媒断続弁３１を閉状態に切り換えることにより熱媒往き路２２を通流する熱媒を第２熱媒バイパス路２６に供給しない非バイパス状態に切り換え自在に構成されている。ふろ熱交換器１１は、暖房熱交換器９にて加熱されて第２熱媒バイパス路２６に供給された熱媒にてふろ循環路３２を通流する浴槽１０の湯水を加熱する液々熱交換器にて構成されている。
【００３２】
ふろ熱交換器１１には、加熱後の湯水を浴槽１０に供給するふろ往き路３３と浴槽１０から湯水を供給するふろ戻り路３４とが接続され、ふろ往き路３３とふろ戻り路３４とからふろ循環路３２が構成されている。ふろ戻り路３４には、上流側から順に、浴槽内の湯水の温度を検出するふろサーミスタ３５と、圧力を検出することによって浴槽１０内の水位を検出する水位センサ３６と、水流スイッチ３７と、ふろ循環ポンプ３８とが設けられている。給湯路５から分岐してふろ戻り路３４に接続された湯張り路３９には、上流側から順に、湯張り弁４０、空気層形成用ホッパ４１、湯張り逆止弁４２が設けられている。空気層形成用ホッパ４１には、ふろ戻り路３４に接続されて湯水を排水する排水路４３と、その排水路４３を開閉する排水弁４４とが設けられている。
【００３３】
ふろ給湯暖房機１の運転を制御する運転制御手段４５が設けられており、この運転制御手段４５は、ふろ給湯暖房機１の運転を指令する人為操作式のふろ給湯暖房機用リモコン（図示は省略する）との間で各種の情報を通信可能に構成されている。ふろ給湯暖房機用リモコンは、例えば、台所や浴室等の夫々に設けられており、給湯設定温度や湯張り設定温度等を設定可能であるとともに、各種スイッチのＯＮ操作により各種運転の運転要求を要求可能に構成されている。また、運転制御手段４５は、暖房端末８の運転を指令する人為操作式の暖房端末用リモコン（図示は省略する）との間で各種の情報を通信可能に構成されている。暖房端末用リモコンは、高温暖房端末８ａ及び低温暖房端末８ｂの夫々に対して設けられている。
【００３４】
運転制御手段４５は、ふろ給湯暖房機用リモコンの運転スイッチがＯＮ操作されると制御可能な状態となり、給湯栓４が開操作されると給湯栓４から湯水を給湯する給湯運転を実行する。そして、運転制御手段４５は、ふろ給湯暖房機用リモコンの湯張りスイッチがＯＮ操作されてふろ湯張り要求が要求されると湯張り運転を実行し、追焚スイッチがＯＮ操作されてふろ追焚要求が要求されると追焚運転を実行する。また、運転制御手段４５は、暖房端末用リモコンの暖房運転スイッチがＯＮ操作されて暖房端末８から運転要求が要求されると暖房運転を実行する。
【００３５】
〔給湯運転〕
運転制御手段４５は、給湯栓４を開いて水量センサ１７による検出水量が所定量以上になり給湯要求が要求されていると判別すると、給湯バーナ３を燃焼させて給湯熱交換器６にて湯水を加熱させる給湯加熱作動を行う。つまり、運転制御手段４５は、燃焼用ファン１５の駆動を開始させた後、断続弁１４を開弁し、ガス比例弁１３の開度を調整してイグナイタにより給湯バーナ３に点火する。そして、運転制御手段４５は、ふろ給湯暖房機用リモコンでの給湯設定温度、給水サーミスタ１６による検出水温、水量センサ１７による検出水量等に基づいて、給湯温度を給湯設定温度とするための給湯バーナ３の目標燃焼量を求め、その求めた目標燃焼量となるようにガス比例弁１３の開度及び燃焼用ファン１５の回転速度を制御している。
運転制御手段４５は、水量センサ１７にて通水が検出されなくなると、ガス比例弁１３及び断続弁１４を閉弁させて燃料供給を停止して給湯バーナ３の燃焼を停止し且つ燃焼用ファン１５も停止させて給湯運転を終了する。
【００３６】
〔湯張り運転〕
運転制御手段４５は、湯張りスイッチがＯＮ操作されてふろ湯張り要求が要求されると、湯張り弁４０を開弁して通水を開始させ、出湯サーミスタ２１の検出温度が湯張り用の目標温度になるように、給湯バーナ３を燃焼させて給湯熱交換器６にて湯水を加熱させる給湯加熱作動を行う。そして、運転制御手段４５は、水位センサ３６にて検出される浴槽１０の水位が設定水位に達すると、湯張り弁４０を閉じて、給湯バーナ３の燃焼を停止し且つ燃焼用ファン１５も停止させて給湯加熱作動を停止して湯張り運転を終了する。
【００３７】
〔追焚運転〕
運転制御手段４５は、追焚スイッチがＯＮ操作されてふろ追焚要求が要求されると、ふろ循環ポンプ３８を作動させて、浴槽１０内の湯水をふろ戻り路３４及びふろ往き路３３を通して循環させる。そのときに水流スイッチ３７によりそのことが検出されると、運転制御手段４５は、熱媒断続弁３１を開弁させてバイパス状態に切り換えた状態で熱媒循環ポンプ２９を作動させるとともに、暖房バーナ７を燃焼させて暖房熱交換器９にて熱媒を加熱させる暖房加熱作動を行う。運転制御手段４５は、暖房加熱作動として、燃焼用ファン１５の駆動を開始させた後、断続弁１４を開弁し、ガス比例弁１３の開度を調整してイグナイタにより暖房バーナ７に点火する。そして、運転制御手段４５は、熱媒サーミスタ２７の検出温度と目標温度（例えば８０℃）との偏差等に基づいて、熱媒サーミスタ２７の検出温度を目標温度（例えば８０℃）とするための暖房バーナ７の目標燃焼量を求め、その求めた目標燃焼量となるようにガス比例弁１３の開度及び燃焼用ファン１５の回転速度を制御している。これにより、暖房熱交換器９にて加熱された熱媒を第２熱媒バイパス路２６に供給してふろ熱交換器１１において暖房熱交換器９にて加熱された熱媒にてふろ戻り路３４にて供給された浴槽１０の湯水を加熱し、ふろ熱交換器１１にて加熱された浴槽１０の湯水をふろ往き路３３にて浴槽１０に供給している。
そして、運転制御手段４５は、ふろサーミスタ３５の検出温度が追焚設定温度に達すると、ふろ循環ポンプ３８及び熱媒循環ポンプ２９を停止させるとともに、暖房バーナ７の燃焼を停止し且つ燃焼用ファン１５も停止させて暖房加熱作動を停止して、追焚運転を終了する。
【００３８】
〔暖房運転〕
運転制御手段４５は、暖房端末８から運転要求が要求されると、熱媒断続弁３１を閉弁させて非バイパス状態に切り換えた状態で熱媒循環ポンプ２９を作動させるとともに、上述の追焚運転と同様に、暖房バーナ７を燃焼させて暖房熱交換器９にて熱媒を加熱させる暖房加熱作動を行う。ここで、運転制御手段４５は、熱媒サーミスタ２７の検出温度と目標温度（例えば８０℃）との偏差等に基づいて、熱媒サーミスタ２７の検出温度を目標温度（例えば８０℃）とするための暖房バーナ７の目標燃焼量を求め、その求めた目標燃焼量となるようにガス比例弁１３の開度及び燃焼用ファン１５の回転速度を制御している。
そして、運転制御手段４５は、高温暖房端末８ａから運転要求が要求されていると、熱媒往き路２２に備えられた熱媒供給断続弁（図示省略）を開弁させて、暖房熱交換器９にて加熱された熱媒を熱媒往き路２２にて高温暖房端末８ａに供給している。また、運転制御手段４５は、低温暖房端末８ｂから運転要求が要求されていると、低温熱媒往き路３０に備えられた熱媒供給断続弁（図示省略）を開弁させて、暖房熱交換器９にて加熱された熱媒を熱媒往き路２２、第１熱媒バイパス路２５、熱媒戻り路２３、低温熱媒往き路３０を順に通流させて低温暖房端末８ｂに供給している。
運転制御手段４５は、暖房端末８からの運転要求が終了すると、熱媒循環ポンプ２９を停止させるとともに、暖房バーナ７の燃焼を停止し且つ燃焼用ファン１５も停止させて暖房加熱作動を停止して、暖房運転を終了する。
【００３９】
運転制御手段４５は、給湯要求、ふろ湯張り要求、ふろ追焚要求、及び、暖房端末８からの運転要求の夫々が単独で要求されると、給湯運転、湯張り運転、追焚運転、及び、暖房運転の夫々を単独で実行する。
そして、運転制御手段４５は、給湯要求、ふろ湯張り要求、ふろ追焚要求、及び、暖房端末８からの運転要求の２つ以上が同時に要求されると、要求されている運転を同時に実行する。
【００４０】
本発明に係るふろ給湯暖房機１では、ふろ追焚要求と暖房端末８からの運転要求とが同時に要求されていると、運転制御手段４５が、追焚運転と暖房運転とを同時に実行するだけでなく、ふろ循環路３２にて循環される浴槽１０の湯水の循環量を変更させる循環量変更処理を行っている。そして、ふろ循環路３２にて循環される浴槽１０の湯水の循環量を変更させるために、ふろ循環ポンプ３８として回転速度可変型のポンプが採用されている。運転制御手段４５は、ふろ循環ポンプ３８の回転速度を変更させて湯水循環量を変更させており、運転制御手段４５にて循環量変更手段が構成されている。
また、運転制御手段４５は、ふろ追焚要求が単独で要求されていると、ふろ循環ポンプ３８を基準回転速度にて作動させて、ふろ循環路３２にて循環される浴槽１０の湯水の循環量を単独用の湯水循環量としている。循環量変更処理では、ふろ循環ポンプ３８の回転速度を基準回転速度とは異なる回転速度にて作動可能となっており、ふろ循環路３２にて循環される浴槽１０の湯水の循環量を単独用の湯水循環量とは異なる循環量に変更可能となっている。
【００４１】
運転制御手段４５が循環量変更処理を行うことにより、ふろ循環路３２にて循環される浴槽１０の湯水の湯水循環量を変更させて、暖房熱交換器９にて加熱された熱媒が有する熱量のうち、浴槽１０の湯水の追焚に用いる分の熱量を変更させることができる。よって、暖房熱交換器９にて加熱された熱媒が有する熱量を、暖房端末８で暖房に用いる分と浴槽１０の湯水の追焚に用いる分とに分け合うことになるが、どのような配分で分け合うかを調整することができることになり、暖房やふろ追焚の使用感が低下するのを抑えることができる。
【００４２】
以下、図２のフローチャートに基づいて、循環量変更処理の動作について説明する。
運転制御手段４５は、追焚スイッチがＯＮ操作されてふろ追焚要求が要求されると、追焚運転の運転継続時間を計測するタイマを作動させて、ふろ追焚時間のカウントを開始する（ステップ＃１）。そして、運転制御手段４５は、暖房端末８の運転状況として、高温暖房端末８ａ及び低温暖房端末８ｂの夫々について運転要求を要求しているか否かを判別しており、高温暖房端末８ａから運転要求が要求されており高温暖房要求があると、ふろ循環ポンプ３８の回転速度を第１回転速度に設定してふろ循環ポンプ３８を作動させている（ステップ＃２，＃３）。ここで、第１回転速度は、例えば、基準回転速度を５０パーセント減少させた回転速度に設定されている。
【００４３】
運転制御手段４５は、低温暖房端末８ｂから運転要求が要求されており低温暖房要求があると、低温暖房端末８ｂにてホットダッシュ要求があると、ふろ循環ポンプ３８の回転速度を第２回転速度に設定してふろ循環ポンプ３８を作動させている（ステップ＃４〜＃６）。ここで、第２回転速度は、例えば、基準回転速度を４０パーセント減少させた回転速度に設定されており、第１回転速度よりも高回転速度に設定されている。また、ホットダッシュ要求とは、低温暖房端末８ｂの運転初期等、低温暖房端末８ｂが低温状態であるときに暖房を行うときであり、低温暖房端末８ｂにて要求されている要求熱量が大きいときである。このように、運転制御手段４５は、暖房端末８の運転状況として、ホットダッシュ要求があるか否かにより、運転要求を要求している暖房端末８にて要求されている要求熱量を判別している。
【００４４】
運転制御手段４５は、低温暖房端末８ｂから運転要求が要求されており低温暖房要求があると、低温暖房端末８ｂにてホットダッシュ要求がなければ、ふろ循環ポンプ３８の回転速度を第３回転速度に設定してふろ循環ポンプ３８を作動させている（ステップ＃４、＃５、＃７）。ここで、第３回転速度は、例えば、基準回転速度を３０パーセント減少させた回転速度に設定されており、第２回転速度よりも高回転速度に設定されている。
【００４５】
このようにして、運転制御手段４５は、循環量変更処理においてふろ循環ポンプ３８の回転速度を基準回転速度よりも低回転速度にて作動させて、湯水循環量を単独用の湯水循環量よりも減少させているので、暖房熱交換器９にて加熱された熱媒が有する熱量のうち、暖房端末８で暖房に用いる分の熱量を増加させることができ、暖房の使用感が低下するのを的確に抑制できる。そして、運転制御手段４５は、低温暖房端末８ｂよりも高温暖房端末８ａにて運転要求が要求されているときの方がふろ循環ポンプ３８の回転速度を低下させ、しかも、低温暖房端末８ｂにて要求されている要求熱量が大きいときの方がふろ循環ポンプ３８の回転速度を低下させており、運転要求を要求している暖房端末８にて要求されている要求熱量が大きいほどふろ循環ポンプ３８の回転速度を低下させて湯水循環量を減少させている。
【００４６】
運転制御手段４５は、基準回転速度よりも低回転速度である第１〜第３回転速度の何れかにてふろ循環ポンプ３８を作動させているときに、ふろ追焚時間が設定時間（例えば５分）以上となると、追焚運転の運転継続時間が設定時間以上となっているとして、ふろ循環ポンプ３８の回転速度を基準回転速度に設定して作動させて、ふろ循環ポンプ３８の回転速度を高回転速度にしている（ステップ＃８、＃９）。これにより、浴槽１０の湯水の追焚に時間がかかっているとして、湯水循環量を増加させて、ふろ追焚に用いる分の熱量を増加させて、暖房の使用感の低下を優先して抑制することができながら、ふろ追焚の使用感の低下をも抑制している。
【００４７】
運転制御手段４５は、ふろサーミスタ３５の検出温度が追焚設定温度以上となりふろ追焚運転を終了するまで、上述の動作を繰り返し行い、追焚運転の途中に暖房端末８からの運転要求が要求された場合でも、循環量変更処理を行うようにしている（ステップ＃１０）。
【００４８】
〔第２実施形態〕
この第２実施形態では、本発明に係るふろ給湯暖房機の循環量変更処理の別実施形態を示しており、その他の構成については、上記第１実施形態と同様であるので、同様の構成については説明を省略し、異なる点のみ説明する。
【００４９】
上記第１実施形態では、図１に示すように、給湯バーナ３と暖房バーナ７とで各別に燃焼用ファン１５が設けられているが、この第２実施形態では、図３に示すように、給湯バーナ３と暖房バーナ７とで単一の燃焼用ファン１５が設けられており、構成の簡素化を図っている。これにより、例えば、給湯運転と追焚運転とを同時に実行するとき等、給湯バーナ３と暖房バーナ７とを同時燃焼させる場合には、どちらのバーナでの燃焼量が目標燃焼量となるように、燃焼用ファン１５の回転速度を制御するかが問題となる。給湯設定温度の湯水が給湯栓４から給湯されなくなると、使用者の給湯に対する使用感が低下して顕著な問題となることから、運転制御手段４５は、給湯要求により給湯運転を行うときには、暖房バーナ７を燃焼させるか否かにかかわらず、給湯バーナ３の燃焼量が目標燃焼量となるように燃焼用ファン１５の回転速度を制御している。つまり、運転制御手段４５は、給湯バーナ３と暖房バーナ７とを同時燃焼させる場合に、暖房バーナ７よりも給湯バーナ３を優先して、給湯バーナ３の燃焼量が目標燃焼量となるように燃焼用ファン１５の回転速度を制御している。
【００５０】
したがって、給湯バーナ３と暖房バーナ７とを同時燃焼させる場合には、暖房バーナ７への燃焼用空気の供給量が給湯バーナ３での燃焼用空気の供給量に制限されることになり、暖房バーナ７の燃焼量を目標燃焼量とするための燃焼用空気の供給量よりも多くなる又は少なくなる可能性がある。そこで、運転制御手段４５は、暖房バーナ７への燃焼用空気の供給量に応じてガス比例弁１３の開度を調整して暖房バーナ７への燃料ガスの供給量を調整して、給湯バーナ７を目標燃焼量にて燃焼させながら、暖房バーナ７の燃焼も安定して行うようにしている。
【００５１】
しかしながら、給湯バーナ３と暖房バーナ７とを同時燃焼させる場合には、給湯バーナ３での燃焼量に制限されることになり、暖房バーナ７の燃焼量が目標燃焼量よりも大きい又は小さい状態となっていることがある。よって、給湯バーナ３と暖房バーナ７とを同時燃焼させる場合には、給湯バーナ３による制限により、暖房熱交換器９にて加熱された熱媒が有する熱量自体が変更することになる。これにより、給湯バーナ３と暖房バーナ７とを同時燃焼させる場合には、暖房バーナ７を単独で燃焼させる場合に対して暖房熱交換器９による加熱により得られる熱量自体が変更することになる。
【００５２】
そこで、本発明に係るふろ給湯暖房機１では、運転制御手段４５が、循環量変更処理において、給湯運転の実行中であるか否かに基づいて湯水循環量を変更させている。つまり、運転制御手段４５は、給湯運転の実行中であると給湯バーナ３と暖房バーナ７とを同時燃焼させる場合であるとして、暖房バーナ７の燃焼量が目標燃焼量よりも大きい又は小さい状態となっているか否かを判別する。そして、運転制御手段４５が、暖房バーナ７の燃焼量が目標燃焼量よりも大きい又は小さい状態となっていると判別すると、このときの暖房バーナ７の燃焼量に適した湯水循環量になるようにふろ循環ポンプ３８の回転速度を変更している。
【００５３】
以下、図４のフローチャートに基づいて、給湯運転の実行中であるか否かに基づいて湯水循環量を変更させるための動作について説明する。この図４に示す動作は、図２におけるステップ＃１とステップ＃２との間に行われる。
運転制御手段４５は、給湯運転の実行中であると、暖房バーナ７の燃焼量が目標燃焼量よりも小さいか否かを判別する（ステップ＃２１、＃２２）。運転制御手段４５は、ガス比例弁１３の開度から求められる給湯バーナ３への燃料ガスの供給量や燃焼用ファン１５の回転速度等により給湯バーナ３に供給している燃焼用空気の供給量を求めることができる。そして、運転制御手段４５は、その求めた燃焼用空気の供給量に対応する燃焼量となるようにガス比例弁１３の開度を調整して暖房バーナ７の燃焼量を調整している。一方で、運転制御手段４５は、熱媒サーミスタ２７の検出温度と目標温度（例えば８０℃）との偏差等に基づいて、熱媒サーミスタ２７の検出温度を目標温度（例えば８０℃）とするための暖房バーナ７の目標燃焼量を求めている。そこで、運転制御手段４５は、現在の暖房バーナ７の燃焼量と求めた暖房バーナ７の目標燃焼量とから、現在の暖房バーナ７の燃焼量が目標燃焼量よりも小さいか否かを判別している。
【００５４】
運転制御手段４５は、暖房バーナ７の燃焼量が目標燃焼量よりも小さいと判別すると、ふろ循環ポンプ３８における基準回転速度、第１回転速度、第２回転速度、第３回転速度（図２参照）の夫々の回転速度を低速側（例えば回転速度を２０パーセント減少）に変更する（ステップ＃２３）。
運転制御手段４５は、暖房バーナ７の燃焼量が目標燃焼量よりも大きいと判別すると、ふろ循環ポンプ３８における基準回転速度、第１回転速度、第２回転速度、第３回転速度（図２参照）の夫々の回転速度を高速側（例えば回転速度を２０パーセント増加）に変更する（ステップ＃２４、＃２５）。
【００５５】
〔別実施形態〕
（１）上記第１及び第２実施形態において、運転制御手段４５が、湯水循環量変更処理において、暖房端末８の運転状況として、運転要求が要求されている暖房端末８の台数を判別して、例えば、運転要求が要求されている暖房端末８の台数が多いほどふろ循環ポンプ３８の回転速度を低下させて湯水循環量を減少させることができる。
【００５６】
（２）上記第１及び第２実施形態において、暖房端末８に熱媒を供給するときには、熱媒供給断続弁を開閉させることにより暖房端末８への熱媒の供給を断続させることができる。そこで、例えば、運転制御手段４５は、湯水循環量変更処理において、熱媒供給断続弁を閉弁させるときには湯水循環量を単独用の湯水循環量よりも増加させ、熱媒供給断続弁を閉弁させるときには湯水循環量を単独用の湯水循環量よりも減少させることもできる。
【００５７】
（３）上記第１及び第２実施形態では、ふろ循環ポンプ３８の回転速度を変更させることによりふろ循環路３３にて循環させる湯水循環量を変更させているが、例えば、ふろ循環路３３の途中に通流する湯水量を可変自在な湯水通流量変更弁等を備え、ふろ循環ポンプ３８の回転速度は一定回転速度として、湯水通流量変更弁の開度を調整することによりふろ循環路３３にて循環させる湯水循環量を変更させることもできる。
【産業上の利用可能性】
【００５８】
本発明は、暖房バーナの燃焼により熱媒を加熱する暖房熱交換器にて加熱された熱媒を熱媒循環路にて暖房端末に供給する暖房運転、及び、ふろ熱交換器において暖房熱交換器にて加熱された熱媒にてふろ循環路を通流する浴槽の湯水を加熱して、その加熱された浴槽の湯水をふろ循環路にて浴槽に供給する追焚運転を実行可能であり、使用者が暖房とふろ追焚とを同時に要求したときに、暖房やふろ追焚の使用感が低下するのを極力抑えることができる各種のふろ暖房設備に適応可能である。
【符号の説明】
【００５９】
３          給湯バーナ
６          給湯熱交換器
７          暖房バーナ
８          暖房端末
８ａ        高温暖房端末
８ｂ        低温暖房端末
９          暖房熱交換器
１０        浴槽
１１        ふろ熱交換器
１５        燃焼用ファン
２２        熱媒往き路
２３        熱媒戻り路
２４        熱媒循環路
２６        熱媒バイパス路（第２熱媒バイパス路）
２９        熱媒循環ポンプ
３１        切換手段（熱媒断続弁）
３２        ふろ循環路
３３        ふろ往き路
３４        ふろ戻り路
３８        ふろ循環ポンプ
４５        運転制御手段（湯水循環量変更手段）
【図１】
2010223490.tif 000003
【図２】
2010223490.tif 000004
【図３】
2010223490.tif 000005
【図４】
2010223490.tif 000006